(57)【要約】【課題】針部を、体内組織の病巣部における所定位置において、所望の深さ部位にまで確実に穿刺することが出来る薬液注入装置を提供する。【解決手段】体内に挿入可能な管状本体１０内に、先端が尖鋭な針部１１とされた、所定の薬液が流通可能な針状管体１２と、第一ガイドワイヤ１４と、第二ガイドワイヤ１６とを挿入せしめる一方、かかる管状本体１０の管壁に対して、針状管体１２の針部１１が突出せしめられる突出孔２２を設けると共に、管状本体１０の体内への挿入方向前方側の端部開口部２０の開口方向と、突出孔２２の開口方向とに対して直角となる方向に開口する側孔２４を設けて、第一ガイドワイヤ１４を、管状本体１２の端部開口部２０を通じて前方に延出させる一方、第二ガイドワイヤ１６を、側孔２４を通じて側方に延出せしめるように構成した。【選択図】      図１
2004267333.tif 000002
【特許請求の範囲】
【請求項１】
体内に挿入可能な管体からなり、外部に開口する突出孔が設けられた管状本体と、先端が尖鋭な針部とされた、可撓性を有する細管からなり、該管状本体の内部に、軸方向に移動可能に挿入されて、該針部が、該管状本体の前記突出孔から外部に突出せしめられる針状管体と、該針状管体の内部に所定の薬液を供給する薬液供給手段とを有し、該管状本体を体内に挿入位置せしめた状態下で、該針状管体の針部を該管状本体の前記突出孔から突出せしめて、該体内の所定の組織に穿刺することにより、該針状管体を通じて、該薬液供給手段から供給される薬液を該体内組織に注入し得るようにした薬液注入装置において、
前記管状本体内に、その軸方向に移動可能に挿入され、前記管状本体の体内への挿入方向前方側に設けられた先端開口部から延出する第一ガイドワイヤと、
前記管状本体内に、その軸方向に移動可能に挿入され、前記突出孔の開口方向と、前記先端開口部の開口方向の両方に対して直交する側孔から延出する第二ガイドワイヤと、
を含んで構成したことを特徴とする薬液注入装置。
【請求項２】
前記管状本体の内部に、該管状本体の前記先端開口部を通じて外部に開口する第一ルーメンと、前記側孔を通じて外部に開口する第二ルーメンと、前記突出孔を通じて外部に開口する第三ルーメンが設けられて、該第一ルーメン内に、前記第一ガイドワイヤが、その軸方向に移動可能に挿入されると共に、該第二ルーメン内に、前記第二ガイドワイヤが、その軸方向に移動可能に挿入され、更に、該第三ルーメン内に、前記針状管体が、その軸方向に移動可能に挿入されている請求項１に記載の薬液注入装置。
【請求項３】
前記第一ルーメンが、前記管状本体における体内への挿入方向後方側の端部において、かかる端部の管壁に設けられた挿入孔を通じて側方に開口せしめられて、前記第一ガイドワイヤが、該挿入孔から該第一ルーメン内に挿入される一方、前記第二ルーメンが、該管状本体の後方側の後端開口部を通じて該後方側に開口せしめられて、前記第二ガイドワイヤが、該後端開口部から該第二ルーメン内に挿入されている請求項２に記載の薬液注入装置。
【請求項４】
前記第一ルーメンと前記第二ルーメンとが、それぞれの中心軸を含む平面を前記突出孔の開口方向に対して直交させるようにして、前記管状本体の内部に設けられている請求項２又は請求項３に記載の薬液注入装置。
【請求項５】
前記第三ルーメンが、その中心軸と前記管状本体の中心軸とを含む平面上に、前記突出孔の中心が位置せしめられるようにして、前記管状本体の内部に設けられている請求項２乃至請求項４の何れかに記載の薬液注入装置。
【請求項６】
前記第三ルーメンが、その中心軸を前記管状本体の中心軸と一致せしめるようにして、前記管状本体の内部に設けられる一方、前記第一ルーメンと前記第二ルーメンとが、該第三ルーメンを間に挟んだ両側において、それぞれの中心軸を、該第三ルーメンの中心軸と同一平面上に位置させようにして、該管状本体の内部に設けられている請求項２乃至請求項５の何れかに記載の薬液注入装置。
【請求項７】
前記管状本体の外部に対して、拡張／収縮可能なバルーンが取り付けられると共に、該バルーンを拡張させる流体が流通せしめられる第四ルーメンが、その中心軸と該管状本体の中心軸とを含む平面上に、前記突出孔の中心が位置せしめられるようにして、該管状本体の内部に設けられている請求項２乃至請求項６の何れかに記載の薬液注入装置。
【請求項８】
前記管状本体の内部に、前記針状管体の前記軸方向への移動に伴う、該針状管体の前記先端の針部の摺接によって、該針部を前記突出孔に案内する案内面が、該管状本体における前記体内への挿入方向前方側に向かって、該突出孔の開口方向に湾曲する凸状湾曲面形態を有して、形成されている請求項１乃至請求項７の何れかに記載の薬液注入装置。
【請求項９】
前記針状管体の先端の針部が、前記管状本体の内部に形成された前記凸状湾曲面形態を有する案内面に対応した湾曲形状を有して構成され、該案内面の該凸状湾曲面形態と前記針状管体の先端の湾曲形状とが合成されることにより、該針状管体を、より湾曲させる方向に変形させるようにした請求項８に記載の薬液注入装置。
【請求項１０】
可撓性を有し、体内に挿入される管状本体と、
前記管状本体内に挿入され、該管状本体の軸方向に、該管状本体から延出して進退可能な第一ガイドワイヤと、
前記管状本体内に挿入され、前記第一ガイドワイヤと交差する方向に、該管状本体から延出して進退可能な第二ガイドワイヤと、
前記管状本体内に挿入され、該管状本体の軸方向に進退可能な針状管体と、
前記針状管体より薬液を供給する薬液供給手段とからなり、
前記管状本体から延出した前記第一ガイドワイヤと前記第二ガイドワイヤのそれぞれの延出方向ベクトルを含むに面に対して実質的に直交する方向に、前記針状管体が、該管状本体より突出するように構成したことを特徴とする薬液注入装置。
【発明の詳細な説明】
【０００１】
【技術分野】
本発明は、体内組織の病巣部等に対して所定の薬液を注入する薬液注入装置の構造に関するものである。
【０００２】
【背景技術】
従来から、血管、消化管、尿管等の人体の管状器官に、カテーテル等の医療器具を挿入することによって、様々な治療や検査、処置等が行なわれている。また、近年では、薬液注入装置、例えば薬液注入カテーテル等を用いて、所定の薬液を体内組織の病巣部に注入する治療や処置も、実施されている（例えば、特許文献１及び２参照）。
【０００３】
すなわち、よく知られているように、この薬液注入カテーテルは、管状のカテーテル本体の内部に、所定の薬液が流通可能な細管からなり、先端が尖鋭な針部とされた針状管体が、その軸方向に移動可能に挿入配置されて、構成されている。そして、このような薬液注入カテーテルのカテーテル本体が血管内に挿入されて、体内組織の病巣部位にまで押し進められ、そこで、針状管体が長手方向に移動せしめられる。これによって、カテーテル本体の先端開口部や管壁に設けられた孔部を通じて、針状管体の先端の針部が外部に突出せしめられて、体内組織の病巣部に穿刺され、更に、その状態下で、かかる針状管体を通じて、所定の薬液が病巣部に注入されるのである。
【０００４】
ところで、このような薬液注入療法を実施する場合、より十分な治療効果を得るために、カテーテル本体（管状の本体）から突出せしめられた針状管体の針部を、体内組織の病巣部における所定の位置において、所望の深さにまで穿刺する必要がある。
【０００５】
しかしながら、上述の如き構造とされた従来の薬液注入装置にあっては、一般に、針状管体が、長尺で可撓性を有している。そのため、かかる薬液注入装置が、管状の本体の管壁に設けられた孔部を通じて、針部が外部に突出せしめられる構造とされている場合には、穿刺されるべき体内組織の病巣部が比較的に硬いものであると、そのような病巣部との接触によって、針状管体の針部が屈曲したり、後退したりしてしまい、その結果、針部を、体内組織の病巣部における所定の位置において、所望の深さにまで確実に穿刺すること困難となる場合があったのである。
【０００６】
【特許文献１】
特開２００１−１０４４８７号公報
【特許文献２】
特開２００１−２９９９２７号公報
【０００７】
【解決課題】
ここにおいて、本発明は、上述せる如き事情を背景にして為されたものであって、その解決課題とするところは、先端が針部とされた針状管体が、管状本体の管壁に設けられた孔部から外部に突出せしめ得るように挿入配置されてなる薬液注入装置において、針状管体の針部を、体内組織の病巣部における所定位置において、所望の深さ部位にまで確実に穿刺することが出来るようにした構造を提供することにある。
【０００８】
【解決手段】
そして、本発明にあっては、かかる課題の解決のために、体内に挿入可能な管体からなり、外部に開口する突出孔が設けられた管状本体と、先端が尖鋭な針部とされた、可撓性を有する細管からなり、該管状本体の内部に、軸方向に移動可能に挿入されて、該針部が、該管状本体の前記突出孔から外部に突出せしめられる針状管体と、該針状管体の内部に所定の薬液を供給する薬液供給手段とを有し、該管状本体を体内に挿入位置せしめた状態下で、該針状管体の針部を該管状本体の前記突出孔から突出せしめて、該体内の所定の組織に穿刺することにより、該針状管体を通じて、該薬液供給手段から供給される薬液を該体内組織に注入し得るようにした薬液注入装置において、（ａ）前記管状本体内に、その軸方向に移動可能に挿入され、前記管状本体の体内への挿入方向前方側に設けられた先端開口部から延出する第一ガイドワイヤと、（ｂ）前記管状本体内に、その軸方向に移動可能に挿入され、前記突出孔の開口方向と、前記先端開口部の開口方向の両方に対して直交する側孔から延出する第二ガイドワイヤとを含んで構成したことを特徴とする薬液注入装置を、その要旨とするものである。
【０００９】
すなわち、この本発明に従う薬液注入装置にあっては、第一ガイドワイヤと第二ガイドワイヤのそれぞれの延出方向ベクトルが互いに交差する。即ち、第一及び第二ガイドワイヤの実際の延出方向が交差せずに、捻れの位置関係となっている場合も含めて、管状本体内での針状管体の軸方向への移動に伴って、かかる針状管体の先端の針部が、管状本体の管壁に設けられた突出孔から、第一ガイドワイヤの延出方向ベクトルと第二ガイドワイヤの延出方向ベクトルとを含む面に対して実質的に直交する方向に向かって突出せしめられ得るようになっている。
【００１０】
それ故に、かかる薬液注入装置においては、針状管体の針部が体内組織の病巣部に穿刺される際に、第一ガイドワイヤと第二ガイドワイヤとが、例えば、体内組織上を走行する血管内に挿入される等して、体内組織の病巣部の表面に沿って延出するように位置されておれば、この第一及び第二ガイドワイヤが形成する面は、実質的に体内組織の病巣部表面に近似したものとなる。よって、針部が、病巣部の表面に対して直角な方向に向かって、管状本体の突出孔から突出され得る。これによって、針部が、体内組織の病巣部における所定の位置に穿刺され得ることとなる。
【００１１】
しかも、かくして針部が体内組織に穿刺される際には、針部の体内組織内への進入時に生ずる反力の大部分が、体内組織の表面に対して直角な方向、つまり、第一ガイドワイヤと第二ガイドワイヤのそれぞれの延出方向を含む面に対して直角な方向であって、且つ針部の進入方向とは反対の方向に向かって作用せしめられることとなる。そのため、そのような反力が、第一ガイドワイヤと第二ガイドワイヤとによって、それぞれ分担されて、十分に且つ確実に受け止められる。そして、それによって、針部が、体内組織内に、極めてスムーズに且つ確実に進入せしめられ得ることとなる。
【００１２】
従って、かくの如き本発明に従う薬液注入装置にあっては、穿刺されるべき体内組織の病巣部が比較的に硬いものであっても、針状管体の針部が、かかる病巣部における所定位置において、所望の深さ部位にまで確実に穿刺され得る。そして、その結果として、所定の薬液を病巣部に注入する治療や処置の効果を、より十分に高めることが可能となる。
【００１３】
なお、このような本発明に従う薬液注入装置の好ましい態様の一つによれば、前記管状本体の内部に、該管状本体の前記先端開口部を通じて外部に開口する第一ルーメンと、前記側孔を通じて外部に開口する第二ルーメンと、前記突出孔を通じて外部に開口する第三ルーメンが設けられて、該第一ルーメン内に、前記第一ガイドワイヤが、その軸方向に移動可能に挿入されると共に、該第二ルーメン内に、前記第二ガイドワイヤが、その軸方向に移動可能に挿入され、更に、該第三ルーメン内に、前記針状管体が、その軸方向に移動可能に挿入されて、構成されることとなる。これによって、第一及び第二ガイドワイヤと針状管体とが、何れも、管状本体内を、軸方向にスムーズに移動せしめられ得る。そして、その結果として、より円滑な手技を行なうことが可能となる。
【００１４】
また、本発明に従う薬液注入装置の別の有利な態様の一つによれば、前記第一ルーメンが、前記管状本体における体内への挿入方向後方側の端部において、かかる端部の管壁に設けられた挿入孔を通じて側方に開口せしめられて、前記第一ガイドワイヤが、該挿入孔から該第一ルーメン内に挿入される一方、前記第二ルーメンが、該管状本体の後方側の後端開口部を通じて該後方側に開口せしめられて、前記第二ガイドワイヤが、該後端開口部から該第二ルーメン内に挿入される。
【００１５】
このような構成を採用すれば、第一ガイドワイヤと第二ガイドワイヤとが、第一ルーメン内への挿入部位や第二ルーメンからの延出部位のそれぞれ一箇所のみにおいて屈曲せしめられることとなる。それ故、各ガイドワイヤの屈曲が最小限度となる。即ち、第一及び第二ガイドワイヤが、第一及び第二ルーメン内での挿入部位と外部への延出部位との二箇所において屈曲せしめられる場合とは異なって、各ガイドワイヤが、各ルーメン内を移動する際の摺動抵抗が有利に小さくされ得る。これにより、薬液注入装置において、更に一層優れた使用性乃至は操作性が発揮され得るのである。
【００１６】
さらに、本発明に従う薬液注入装置の望ましい他の態様の一つによれば、前記第一ルーメンと前記第二ルーメンとが、それぞれの中心軸を含む平面を前記突出孔の開口方向に対して直交させるようにして、前記管状本体の内部に設けられることとなる。
【００１７】
このような構成を有する薬液注入装置にあっては、針状管体の先端の針部が、管状本体の管壁に設けられた突出孔から、第一ガイドワイヤの延出方向と第二ガイドワイヤの延出方向とを含む面に対して直交する方向に向かって、より確実に突出せしめられ得る。それによって、針部の体内組織内への進入時に生ずる反力の大部分が、第一ガイドワイヤと第二ガイドワイヤとによって、より十分に且つ確実に受け止められ得る。そして、その結果として、針部の体内組織内への進入が、より一層スムーズに且つ確実に行なわれ得ることとなる。
【００１８】
また、本発明に従う薬液注入装置の更に別の好ましい態様の一つによれば、前記第三ルーメンが、その中心軸と前記管状本体の中心軸とを含む平面上に、前記突出孔の中心が位置せしめられるようにして、前記管状本体の内部に設けられる。これによって、針状管体が、管状本体内に、よりバランス良く配置されることとなる。その結果として、かかる薬液注入装置を用いた手技が、より円滑に実施され得る。
【００１９】
さらに、本発明に従う薬液注入装置においては、有利には、前記第三ルーメンが、その中心軸を前記管状本体の中心軸と一致せしめるようにして、前記管状本体の内部に設けられる一方、前記第一ルーメンと前記第二ルーメンとが、該第三ルーメンを間に挟んだ両側において、それぞれの中心軸を、該第三ルーメンの中心軸と同一平面上に位置させようにして、該管状本体の内部に設けられることとなる。
【００２０】
このような構成を採用すれば、第一及び第二ルーメン間の距離が可及的に大きくされて、それら第一及び第二ルーメンから外部に延出せしめられる第一及び第二ガイドワイヤ間の距離も大きく為され得る。その結果、針部の体内組織内への進入時に生ずる反力の大部分が、第一ガイドワイヤと第二ガイドワイヤとによって、より十分に且つ確実に受け止められ得ることとなる。
【００２１】
更にまた、本発明に従う薬液注入装置の他の望ましい態様の一つによれば、前記管状本体の外部に対して、拡張／収縮可能なバルーンが取り付けられると共に、該バルーンを拡張させる流体が流通せしめられる第四ルーメンが、その中心軸と該管状本体の中心軸とを含む平面上に、前記突出孔の中心が位置せしめられるようにして、該管状本体の内部に設けられる。
【００２２】
かくの如き構成を有する薬液注入装置にあっては、例えば、管状本体が血管内に挿入された場合等に、血管内でバルーンを拡張させることによって、管状本体が、かかる血管の所定の位置に固定される。そして、それによって、管状本体から突出される針部が、筋肉等の体内組織の所望の部位に対して、より確実に穿刺され得ることとなる。また、バルーンを拡張させる流体が流通せしめられる第四ルーメンが、管状本体内に、よりバランス良く配置される。その結果として、かかる薬液注入装置を用いた手技が、より円滑に実施され得る。
【００２３】
また、本発明に従う薬液注入装置においては、好ましくは、前記管状本体の内部に、前記針状管体の前記軸方向への移動に伴う、該針状管体の前記先端の針部の摺接によって、該針部を前記突出孔に案内する案内面が、該管状本体における前記体内への挿入方向前方側に向かって、該突出孔の開口方向に湾曲する凸状湾曲面形態を有して、形成されることとなる。これによって、針部が、管状本体から、よりスムーズに突出され得る。以て、かかる薬液注入装置を用いた手技が、より円滑に実施され得る。
【００２４】
さらに、本発明に従う薬液注入装置において、管状本体の内部に前記案内面が形成される場合には、望ましくは、前記針状管体の先端の針部が、前記管状本体の内部に形成された前記凸状湾曲面形態を有する案内面に対応した湾曲形状を有して構成され、該案内面の該凸状湾曲面形態と前記針状管体の先端の湾曲形状とが合成されることにより、該針状管体を、より湾曲させる方向に変形させるように構成される。
【００２５】
このような構成を有する薬液注入装置にあっては、針状管体の針部が、管状本体の突出孔から、第一及び第二ガイドワイヤの各延出方向を含む面に対して直交する方向に向かって突出する際に、案内面の凸状湾曲面形態と針状管体の先端の湾曲形状とが合成されることによって、針状管体を、より湾曲させて、突出孔の近傍に突出するように位置させることが出来る。これによって、突出孔の位置から針状管体の先端の位置が認識し易くなる。また、管状本体の軸方向に対して、より直角に近い形態で、針状管体が突出孔から突出するため、かかる針状管体が体内組織の病巣部における所望の部位に進入する際の、管状本体の軸方向に対して直角な方向に作用せしめられる分力が大きくなり、以て、針状管体を、体内組織の病巣部における所望の部位に対して、よりスムーズに進入させることが可能となる。
【００２６】
そして、本発明にあっては、可撓性を有し、（ａ）体内に挿入される管状本体と、（ｂ）前記管状本体内に挿入され、該管状本体の軸方向に、該管状本体から延出して進退可能な第一ガイドワイヤと、（ｃ）前記管状本体内に挿入され、前記第一ガイドワイヤと交差する方向に、該管状本体から延出して進退可能な第二ガイドワイヤと、（ｄ）前記管状本体内に挿入され、該管状本体の軸方向に進退可能な針状管体と、（ｅ）前記針状管体より薬液を供給する薬液供給手段とからなり、前記管状本体から延出した前記第一ガイドワイヤと前記第二ガイドワイヤのそれぞれの延出方向ベクトルを含むに面に対して実質的に直交する方向に、前記針状管体が、該管状本体より突出するように構成したことを特徴とする薬液注入装置をも、また、その要旨とするものである。
【００２７】
すなわち、この本発明に従う薬液注入装置においては、針状管体が、第一ガイドワイヤと第二ガイドワイヤのそれぞれの延出方向ベクトルを含むに面に対して実質的に直交する方向に向かって、管状本体より突出せしめられるようになっているところから、針状管体の先端部が、体内組織の病巣部における所定の位置に確実に穿刺されて、進入され得る。また、針状管体の先端部が体内組織の病巣部に進入せしめられる際に、かかる針状管体の先端部に対して、病巣部への進入方向とは反対の方向に作用せしめられる反力が、第一ガイドワイヤと第二ガイドワイヤとにて、十分に且つ確実に受け止められる。それにより、針状管体の先端部が、体内組織の病巣部に、極めてスムーズに且つ確実に進入せしめられ得ることとなる。
【００２８】
従って、かくの如き本発明に従う薬液注入装置にあっても、穿刺されるべき体内組織の病巣部が硬化していても、針状管体の針部が、かかる病巣部における所定位置において、所望の深さ部位にまで確実に穿刺され得る。そして、その結果として、所定の薬液を病巣部に注入する治療や処置の効果を、より十分に高めることが可能となる。
【００２９】
【発明の実施の形態】
以下、本発明を更に具体的に明らかにするために、本発明の実施の形態に係る薬液注入装置の構成について、図面を参照しつつ、詳細に説明する。
【００３０】
先ず、図１及び図２には、本発明に従う構造を有する薬液注入装置の一実施形態として、心筋の病巣部に薬液を注入するのに用いられる薬液注入カテーテルが、その正面形態と縦断面形態とにおいて、それぞれ概略的に示されている。それら図１及び図２において、１０は、長尺な管体からなる、管状本体としてのカテーテル本体であって、内部に、先端部が針部１１とされた針状管体１２と、第一ガイドワイヤ１４と、第二ガイドワイヤ１６とが、それぞれの軸方向に移動可能に挿入されている。
【００３１】
より具体的には、カテーテル本体１０は、人体の大腿部や手首部から心臓まで延びる血管内に、それらの全長に亘って挿入可能な太さ（ここでは、直径が約２０．ｍｍ）と長さを有している。そして、このカテーテル本体１０は、可撓性を有する、所定の樹脂層からなる筒状の内側層と外側層との間に、ステンレス製の鋼線が挟み込まれるように埋設されて、構成されている。これによって、適度な剛性と可撓性とがバランス良く兼備せしめられて、蛇行する血管内にスムーズに挿入され得るようになっている。なお、このようなカテーテル本体１０を与える材料は、特に限定されるものではなく、上述の如き材料に代えて、所望の弾性を有する材料、例えば、ポリアミド等の合成樹脂材料や、Ｎｉ−Ｔｉ合金等の超弾性合金材料、ステンレス等の金属材料等も、適宜に用いられることとなる。
【００３２】
また、このようなカテーテル本体１０の内部には、長手方向に連続して延びる第一乃至第四の四つのルーメン１８ａ〜１８ｄが、それぞれ異なる径をもって、互いに独立して設けられている。
【００３３】
そして、これら四つのルーメン１８ａ〜１８ｄのうち、最も径の大きな第三ルーメン１８ｃよりも小さく、且つ最も径の小さな第四ルーメン１８ｄよりも大きな、互いに同一径を有する第一及び第二ルーメン１８ａ，１８ｂは、それぞれの中心軸：Ｐ１  ，Ｐ２  を含む平面：α（図２において二点鎖線で示す）上に、カテーテル本体１０の中心軸：Ｐ０  が位置せしめられるように、配置されている。また、第三ルーメン１８ｃは、その中心軸：Ｐ３  が、カテーテル本体１０の中心軸：Ｐ０  と一致せしめられると共に、第一ルーメン１８ａと第二ルーメン１８ｂとの間の中央に位置せしめられるように、配置されている。更に、第四ルーメン１８ｄは、その中心軸：Ｐ４  と第三ルーメン１８ｃの中心軸：Ｐ３  を含む平面：β（図２において二点鎖線で示す）が、第一及び第二ルーメン１８ａ，１８ｂのそれぞれの中心軸：Ｐ１  ，Ｐ２  を含む平面：αに対して直交せしめられるような位置に配置されている。
【００３４】
また、そのような四つのルーメン１８ａ〜１８ｄを内部に有するカテーテル本体１０にあっては、血管内への挿入方向前方側（図１において右側）の端部に、その先端において軸方向に開口する先端開口部２０を有している。更に、かかるカテーテル本体１０の前方側端部における先端よりも僅かに後方側の部位には、管壁を貫通して、側方に開口する突出孔２２が、形成されている。更にまた、カテーテル本体１０の前方側の端部における突出孔２２の形成部位よりも更に後方側の部位にも、管壁を貫通する側孔２４が、設けられている。
【００３５】
そして、図２及び後述する図３からも明らかなように、カテーテル本体１０の前方側端部に設けられた上記三つの孔部２０，２２，２４のうち、先端開口部２０と側孔２４とが、それぞれの中心：Ｏ１  ，Ｏ２  を、第一ルーメン１８ａと第二ルーメン１８ｂのそれぞれの中心軸：Ｐ１  ，Ｐ２  を含む前記平面：α上に位置せしめるように、配置されている。一方、突出孔２２は、その中心：Ｏ３  を、カテーテル本体１０の中心軸：Ｐ０  を含んで平面：αに対して直交する前記平面：β上に位置せしめるように、配置されている。これにより、ここでは、側孔２４が、先端開口部２０の開口方向と突出孔２２の開口方向とに対して直角となる方向に向かって開口せしめられるようになっている。
【００３６】
そして、そのようにして、カテーテル本体１０の前方側端部に設けられた先端開口部２０が、第一ルーメン１８ａに対して連通せしめられている。また、側孔２４が、第二ルーメン１８ｂに連通せしめられている。更に、突出孔２２が、第三ルーメン１８ｃに連通せしめられている。これによって、ここでは、カテーテル本体１０の前方側端部において、第一ルーメン１８ａが、先端開口部２０を通じて、軸方向前方側（図１中、右側方向）に向かって開口せしめられている。また、第二ルーメン１８ｂが、側孔２４を通じて、第一ルーメン１８ａの開口方向と直角となる側方（図１中、紙面に直角な方向）に向かって開口せしめられている。更に、第三ルーメン１８ｃが、突出孔２２を通じて、第一ルーメン１８ａの開口方向と第二ルーメン１８ｂの開口方向の何れの方向に対しても直角となる方向（図１中、下側方向）に向かって開口せしめられている。
【００３７】
一方、カテーテル本体１０における血管内への挿入方向後方側（図１において左側）の端部には、カテーテル本体１０を三つに分岐する分岐ソケット２６を介して、三つのコネクタ２８，３０，３２が、取り付けられている。更に、かかるカテーテル本体１０の後方側端部における分岐ソケット２６の配設部位よりも所定寸法前方側には、カテーテル本体１０の管壁を貫通して、前記側孔２４の開口方向とはカテーテル本体１０の径方向の反対の方向に向かって開口する挿入孔３４が、形成されている。
【００３８】
そして、それら三つのコネクタ２８〜３２が、カテーテル本体１０内に設けられた第二乃至第四の三つのルーメン１８ｂ〜１８ｄに対して、それぞれ一つずつ対応して、連通せしめられている。また、挿入孔３４は、第一ルーメン１８ａに連通せしめられている。これによって、カテーテル本体１０における血管内への挿入方向後方側の端部において、第一ルーメン１８ａが、挿入孔３４を通じて、外方に開口せしめられている一方、第二、第三、及び第四ルーメン１８ｂ〜１８ｄが、三つのコネクタ２８〜３２の開口部を通じて、外方に開口せしめられている。
【００３９】
そして、前述せる如く、ここでは、針状管体１２と第一及び第二ガイドワイヤ１４，１６とが、カテーテル本体１０内に、それぞれの軸方向に移動可能に挿入されている。第一ガイドワイヤ１４は、カテーテル本体１０の内部に設けられた第一ルーメン１８ａ内に、カテーテル本体１０における後方側端部の管壁に設けられた挿入孔３４を通じて挿入されている。一方、第二ガイドワイヤ１６は、カテーテル本体１０の内部に設けられた第二ルーメン１８ｂ内に、カテーテル本体１０の後方側端部に取り付けられたコネクタ２８の開口部（後端開口部）を通じて挿入されている。更に、針状管体１２は、カテーテル本体１０の内部に設けられた第三ルーメン１８ｃ内に、カテーテル本体１０の後方側端部に取り付けられたコネクタ３０の開口部を通じて挿入されている。
【００４０】
従って、図１と、針状管体１２と各ガイドワイヤ１４，１６のそれぞれの中心軸の位置を表す図３とから明らかなように、第一ガイドワイヤ１４は、第一ルーメン１８ａ内での軸方向前方側への移動により、カテーテル本体１０の前方側端部の先端開口部２０を通じて、前記平面：α上で、第一ルーメン１８ａ内から軸方向前方に向かって延出せしめられ得るようになっている。また、第二ガイドワイヤ１６は、第二ルーメン１８ｂ内での軸方向前方側への移動により、カテーテル本体１０の前方側端部の側孔２４を通じて、前記平面：α上で、第一ルーメン１８ａ内から側方に向かって延出せしめられ得るようになっている。更に、針状管体１２にあっては、第三ルーメン１８ｃ内での軸方向前方側への移動により、先端の針部１１が、カテーテル本体１０の前方側端部の突出孔２２を通じて、前記平面：αに直交する平面：β上で、第三ルーメン１８ｃ内から、第一ガイドワイヤ１４の延出方向と第二ガイドワイヤ１６の延出方向の何れの方向に対しても直角となる方向に向かって突出せしめられ得るようになっている。
【００４１】
第三ルーメン１８ｃ内に挿入される針状管体１２は、全体として、可撓性を有する細管からなっている。そして、かかる針状管体１２にあっては、先端に設けられた針部１１を除いた部分が、カテーテル本体１０よりも長い長さと０．４ｍｍ程度の直径とを有する細管からなる薬液流通管路部３６とされている。即ち、ここでは、針状管体１２が、針部１１と薬液流通管路部３６とからなる一体品にて、構成されている。
【００４２】
また、かかる針状管体１２の薬液流通管路部３６は、例えば、ポリテトラフルオロエチレンやポリイミド等の可撓性を有する合成樹脂材料等からなっている。一方、針部１１は、例えば、Ｎｉ−Ｔｉ合金等の超弾性合金材料やステンレス等の金属材料等の弾性材料からからなっている。そして、この針状管体１２の薬液流通管路部３６が、カテーテル本体１０の後方側端部のコネクタ３０に取り付けられた、所定の薬液を供給する薬液供給手段としてのシリンジ３８に接続されている。
【００４３】
これによって、針状管体１２は、十分な可撓性乃至は弾性が具備せしめられて、屈曲蛇行せしめられる血管に沿って、その内部に挿入されたカテーテル本体１０の第三ルーメン１８ｃ内にスムーズに挿入され、軸方向に移動せしめられ得るようになっている。また、そのような第三ルーメン１８ｃ内での軸方向前方側への移動により、針部１１が、カテーテル本体１０の突出孔２２から外部に突出せしめられて、心筋に対して穿刺せしめられ得るようになっている。更に、シリンジ３８を通じて、壊死した心筋の再生を図るための骨芽細胞又は増殖因子、例えば、ｂＦＧＦ（塩基性線維芽細胞増殖因子）やＶＥＧＦ（血管内皮細胞増殖因子）、ＨＧＦ（肝細胞増殖因子）等を含む薬液が、薬液流通管路部３６内に導入されて、先端の針部１１の開口部から、外部に吐出せしめられ得るようになっている。
【００４４】
また、図４に示されるように、ここでは、突出孔２２の開口周縁部を含む、第三ルーメン１８ｃの前方側端部の内周面が、軸方向前方に向かって、突出孔２２の開口方向に湾曲する凸状湾曲面からなる案内面４０とされている。更に、針状管体１２の針部１１も、かかる案内面４０の湾曲形態に対応した湾曲形状を有している。これによって、針状管体１２の軸方向前方側への移動に伴って、針部１１が、案内面４０に摺接せしめられつつ、かかる案内面４０により、突出孔２２に向かってスムーズに案内されるようになっている。
【００４５】
なお、このような案内面４０や針部１１の湾曲形状は、例えば、針部１１の剛性等を考慮して、適宜に決定される。また、それら案内面４０や針部１１における湾曲部位の曲率半径の大きさ等は、特に限定されるものではないものの、案内面４０の湾曲形態と針部１１の湾曲形状が合成されて、針部１１が、突出孔２２から突出せしめられる際の、両者の接点における突出角度：θが４５°程度、又はそれ以上となるような大きさとされていることが、望ましい。
【００４６】
これによって、図４に示される如く、針部１１が突出孔２２から十分に突出せしめられた際に、針部１１の先端部位が、突出孔２２側に接近し、針部１１が突出した際の位置を認識し易い。また、針部１１の接線：ｍを、カテーテル本体１０の中心軸：Ｐ０  や針状管体１２が挿入される第三ルーメン１８ｃの中心軸：Ｐ３  に対して、より突出孔２２に近い位置で直交するように位置させることが出来る。従って、針状管体１２が心筋に進入する方向の分力（図３に示される二つのベクトル：Ｖｖ，Ｖｈのうち、第三ルーメン１８ｃの中心軸：Ｐ３  に対して直角なベクトル：Ｖｖの大きさ）が大きくなるため、針状管体１２を、よりスムーズに心筋内に進入させることが出来る。
【００４７】
さらに、ここでは、針部１１の先端面、つまり針部１１の開口部における開口端面４１が、カテーテル本体１０の前方側に向かって、突出孔２２の開口方向に傾斜する傾斜面、つまり、図４において、下方に向けて傾斜する傾斜面とされている。
【００４８】
また、カテーテル本体１０の前方側端部における突出孔２２と側孔２４のそれぞれの形成部位の間には、バルーン４２が、設けられている。このバルーン４２は、柔軟な合成樹脂材料からなり、内部に、生理食塩水等の流体が導入されることにより、突出孔２２の開口方向に向かって拡張し、そして、かかる流体が排出されることにより、拡張状態から収縮せしめられ得るように構成された公知の構造を有している。そして、第四ルーメン１８ｄが、このバルーン４２の内部に向かって開口せしめられている。また、図１からも明らかな如く、かかる第四ルーメン１８ｄに連通せしめられた状態下で、カテーテル本体１０の後方側端部に取り付けられたコネクタ３２には、バルーン４２を拡張せしめるための流体を供給する流体供給手段としてのシリンジ４４が、接続されている。
【００４９】
なお、図１及び図４中、４６は、金、白金、白金ロジウム合金等の放射線不透過材料を用いて形成されたマーカーチューブである。このマーカーチューブ４６は、軸方向一方側の開口端面が傾斜面とされて、筒壁部に、軸方向長さの最長部位と最短部位とが形成されている。そして、かかるマーカーチューブ４６にあっては、筒壁部の最長部位か最短部位の何れかが、カテーテル本体１０の前方側端部における突出孔２２の形成部位に対応位置する状態で、カテーテル本体１０の前方側端部に外挿固定されている。マーカーチューブ４６の先端は、針状管体１２が突出した際における針状管体１２（針部１１）の接線：ｍに略一致するようになっている。これによって、カテーテル本体１０を血管内に挿入せしめた状態下で、突出孔２２の位置及び針状管体１２の先端の位置が、マーカーチューブ４６の筒壁部の先端部、最長部位、及び最短部位をＸ線透視することで、容易に把握され得るようになっている。なお、本実施形態では、図４に示されるように、マーカーチューブ４６の筒壁部の最短部位が、突出孔２２側に位置せしめられている。
【００５０】
次に、かくの如き構造とされた本実施形態の薬液注入カテーテルを用いて、心筋の壊死部等の病巣部に所定の薬液を注入する方法について、説明する。
【００５１】
すなわち、かかる薬液注入カテーテルを用いた薬液注入療法の実施に際しては、例えば、先ず、図５に示されるように、第一ガイドワイヤ１４が、心筋４８の表面上の主血管５０内に挿入される。その一方で、第二ガイドワイヤ１６が、第一ガイドワイヤ１４が挿入される主血管５０から分岐せしめられた、心筋４８の表面上の分岐血管５２内に挿入される。なお、ここでの第一及び第二ガイドワイヤ１４，１６の主血管５０内と分岐血管５２内への挿入操作は、一般に、手動で行なわれる。
【００５２】
次に、カテーテル本体１０が、第一ガイドワイヤ１４に沿って、心筋４８表面上の主血管５０内に挿入される。このカテーテル本体１０の主血管５０内への挿入操作は、放射線で透視して、カテーテル本体１０の挿入方向前方側端部に外挿されたマーカーチューブ４６の位置をモニタ等で確認しながら行なわれる。即ち、カテーテル本体１０の主血管５０内への挿入操作により、マーカーチューブ４６が、主血管５０の所定の箇所に到達したら、カテーテル本体１０の挿入操作が、一旦終了される。そして、そこで、マーカーチューブ４６の最短部位４８や最長部位４６の位置が確かめられて、突出孔２２が、薬液が注入されるべき心筋５２の病巣部の所定位置において、かかる病巣部に向かって開口して位置せしめられるように、カテーテル本体１０が軸心回りに回転させられつつ、主血管５０内での軸方向位置も、微調整される。
【００５３】
引き続き、図６に示されるように、カテーテル本体１０が、主血管５０内の前述の如き所定箇所に位置せしめられたら、シリンジ４４から、カテーテル本体１０内部の第四ルーメン１８ｄ内に、生理食塩水等が導入されて、バルーン４２が、突出孔２２の開口方向に向かって拡張せしめられる。これによって、カテーテル本体１０が、主血管５０内において、薬液が注入されるべき心筋５２の病巣部上に、固定的に保持される。
【００５４】
その後、針状管体１２が、カテーテル本体１０内の第三ルーメン１８ｃ内に、コネクタ３０を通じて挿入されて、カテーテル本体１０の主血管５０内への挿入方向前方側に向かって移動せしめられる。このとき、針状管体１２の先端の針部１１が、第三ルーメン１８ｃ内の前方側端部に到達したら、図６において二点鎖線で示されるように、針部１１は、第三ルーメン１８ｃの前方側端部の内周部に設けられた案内面４０に摺接せしめられつつ、突出孔２２に向かってスムーズに前進せしめられる。そして、かかる針状管体１２の更なる前進移動によって、図６に実線で示される如く、針部１１が、突出孔２２を通じて突出せしめられる。この針状管体１２の移動による針部１１の突出操作は、手動、若しくは公知のねじ機構等によって、行なわれることとなる。
【００５５】
なお、前述せるように、本実施形態の薬液注入カテーテルにおいては、カテーテル本体１０の先端開口部２０と側孔２４とからそれぞれ延出せしめられた第一ガイドワイヤ１４と第二ガイドワイヤ１６のそれぞれの延出方向に対して実質的に直角となる方向に向かって、針状管体１２の針部１１が、突出孔２２から突出せしめられるようになっている。そして、ここでは、カテーテル本体１０の先端開口部２０と側孔２４とからそれぞれ延出せしめられた第一ガイドワイヤ１４と第二ガイドワイヤ１６とが、心筋４８の表面上を走行する主血管５０と分岐血管５２とに対して、それぞれ挿入されている。よって、第一及び第二ガイドワイヤ１４，１６にて形成される面は、実質的に、心筋４８の表面と近似している。
【００５６】
それ故に、上述の如き操作によりカテーテル本体１０の突出孔２２から突出された針状管体１２の針部１１は、心筋４８の表面に対して実質的に直角な方向に向かって突出せしめられることとなる。しかも、かかる針部１１にあっては、前述せる如く、針状管体１２の移動方向に向かって、突出孔２２からの突出方向に湾曲せしめられる湾曲形状を有しているために、突出孔２２からの突出状態下で、その先端部位の接線：ｍがカテーテル本体１０の中心軸：Ｐ０  に対して直交するように、配置される。なお、ここで、実質的に直角と言うのは、実際には、心筋４８が複雑な形状を有しているため、厳密には、針部１１が、かかる心筋４８の表面に対して直角に突出しない場合があることを考慮してのことである。
【００５７】
従って、本操作によって、カテーテル本体１０の突出孔２２から突出された針状管体１２の針部１１が、主血管５０の血管壁５４を貫通して、心筋４８の病巣部の所定箇所に対して穿刺せしめられる。そして、カテーテル本体１０内での針状管体１２の前進移動に伴って、針部１１が、心筋４８の表面に対して実質的に直角な方向に向かって、病巣部の所定の深さにまで進入せしめられることとなる。
【００５８】
また、このような病巣部内部への針部１１の進入時には、針部１１を通じて、カテーテル本体１０に対して、針部１１の進入方向と反対方向、つまり、心筋４８の表面に対して直角な方向に、針部１１の心筋４８内への進入に対する反力の大部分が作用せしめられることとなる。しかし、ここでは、第一ガイドワイヤ１４と第二ガイドワイヤ１６とが、心筋４８の表面上で、主血管５０内と分岐血管５２内とに挿入位置せしめられている。このため、そのような反力が、それら第一ガイドワイヤ１４と第二ガイドワイヤ１６とにより、それぞれ分担せしめられて、十分に且つ確実に受け止められ得ることとなる。従って、本操作により、心筋４８の病巣部の所定の深さまでの針部の進入が、極めてスムーズに且つ確実に行なわれ得るのである。
【００５９】
次に、針部１１が、心筋４８の病巣部の所定の深さ位置にまで進入したら、針状管体１２の移動が終了せしめられる。その後、針状管体１２の基部側部位におけるコネクタ３２に接続されたシリンジ４４から、心筋４８の再生を図るための骨芽細胞または増殖因子を含む薬液が、針状管体１２の内孔内に導入される。そして、かかる薬液が、針部１１の先端開口部から外部に吐出せしめられることにより、心筋４８の病巣部内に注入される。
【００６０】
その後、心筋４８の病巣部の一箇所に薬液が注入されたら、針状管体１２がカテーテル本体１０内で後退移動させられて、針部１１が、カテーテル本体１０内に引き込まれる。そして、引き続いて、他の場所において、このような心筋４８の病巣部に対する薬液の注入操作が複数回繰り返され、それによって、心筋４８の病巣部の複数箇所に対して、薬液が注入されることとなる。
【００６１】
このように、本実施形態の薬液注入カテーテルにおいては、カテーテル本体１０の突出孔２２から突出せしめられた針部１１が、心筋４８の病巣部における所定の位置に対して、確実に穿刺され得る。しかも、そのような針部１１の心筋４８に対する穿刺によって生ずる反力の大部分が、心筋４８の表面上の主血管５０内と分岐血管５２内とに挿入された第一ガイドワイヤ１４と第二ガイドワイヤ１６とにて、十分に且つ確実に受け止められて、針部１１が、心筋４８の病巣部の所定の深さ位置にまで、極めてスムーズに且つ確実に進入せしめられ得る。
【００６２】
従って、かくの如き本実施形態の薬液注入カテーテルを用いれば、心筋４８の病巣部が硬化していても、針部１１が、かかる病巣部における所定位置において、所望の深さ部位にまで確実に穿刺され得る。そして、その結果として、心筋４８の再生を図るための薬液を心筋４８の病巣部に注入する治療や処置の効果が、より十分に高められ得ることとなる。
【００６３】
また、かかる薬液注入カテーテルにおいては、カテーテル本体１０の内部に、第一乃至第四ルーメン１８ａ〜１８ｄが、カテーテル本体１０の長さ方向に連続して延びる状態で、互いに独立して設けられ、そして、それら四つのルーメン１８ａ〜１８ｄのうち、第一、第二、及び第三ルーメン１８ａ〜１８ｃ内に、第一及び第二ガイドワイヤ１４，１６と針状管体１２とが、それぞれ、軸方向に移動可能に挿入されている。これによって、第一及び第二ガイドワイヤ１４，１６と針状管体１２とが、何れも、カテーテル本体１０内を、軸方向にスムーズに移動せしめられ得る。そして、その結果として、より円滑な手技を行なうことが可能となっている。
【００６４】
さらに、本実施形態の薬液注入カテーテルにあっては、第一ガイドワイヤ１４が、カテーテル本体１０の後方側端部において、側方に開口する状態で設けられた挿入孔３４から、第一ルーメン１８ａ内に挿入されて、カテーテル本体１０の先端開口部２０を通じて、軸方向の前方に向かって真っ直ぐに延出せしめられている。また、第二ガイドワイヤ１６が、カテーテル本体１０の後端部において、そこに取り付けられたコネクタ２６の開口部から、第二ルーメン１８ｂ内に真っ直ぐに挿入されて、カテーテル本体１０の前方側端部において、側方に開口する状態で設けられた側孔２４を通じて、側方に向かって延出せしめられている。
【００６５】
それ故に、かかる薬液注入カテーテルにおいては、第一ガイドワイヤ１４と第二ガイドワイヤ１６が、何れも、一箇所のみにおいて屈曲乃至は湾曲せしめられた状態で、カテーテル本体１０内に層通せしめられている。従って、そのような第一ガイドワイヤ１４と第二ガイドワイヤ１６に沿って、心筋４８の表面上の主血管５０内に、カテーテル本体１０を挿入する際の各ガイドワイヤ１４，１６に対する摺動抵抗が、比較的に小さく為され得て、以てカテーテル本体１０の主血管５０内への挿入操作が、よりスムーズに行なわれ得ることとなる。
【００６６】
さらに、本実施形態に係る薬液注入カテーテルにあっては、針状管体１２が挿入配置される第三ルーメン１８ｃが、その中心軸：Ｐ３  を、カテーテル本体１０の中心軸：Ｐ０  に一致させた状態で配置されている。これによって、薬液注入カテーテル全体のバランスが良好なものとなり、以て、心筋４８の病巣部に対して薬液を注入せしめるための手技が、より安定的に行なわれ得ることとなる。
【００６７】
また、かかる薬液注入カテーテルにおいては、針状管体１２が挿入配置される第三ルーメン１８ｃの中心軸：Ｐ３  と、それに一致するカテーテル本体１０の中心軸：Ｐ０  とを含み、且つ第一及び第二ガイドワイヤ１４，１６がそれぞれ挿入配置される第一及び第二ルーメン１８ａ，１８ｂのそれぞれの中心軸：Ｐ１  ，Ｐ２  を含む平面：αに対して直交する平面β上に、針状管体１２の針部１１が突出せしめられる突出孔２２の中心：Ｏ３  が位置するように、かかる突出孔２２が配設されている。これによって、針状管体１２のカテーテル本体１０内での配置バランスと、針部１１を突出孔２２から突出させる際の操作バランスとが、良好なものとなる。そして、その結果として、心筋４８の病巣部に対する薬液の注入のための手技が、更に一層安定的に且つスムーズに行なわれ得ることとなる。
【００６８】
さらに、本実施形態に係る薬液注入カテーテルにあっては、第一及び第二ガイドワイヤ１４，１６がそれぞれ挿入配置される第一及び第二ルーメン１８ａ，１８ｂの各中心軸：Ｐ１  ，Ｐ２  と、針状管体１２が挿入配置される第三ルーメン１８ｃの中心軸：Ｐ３  と、カテーテル本体１０の中心軸：Ｐ０  とが、前記一つの平面：α上に位置せしめられると共に、それら第一及び第二ルーメン１８ａ，１８ｂが、第三ルーメン１８ｃを間に挟んだ、その両側に配置されている。これにより、第一ルーメン１８ａと第二ルーメン１８ｂとの間の距離が可及的に大きく為されて、それら二つのルーメン１８ａ，１８ｂから、カテーテル本体１０の先端開口部２０と側孔２４とを通じて外部に延出せしめられる第一ガイドワイヤ１４と第二ガイドワイヤ１６間の距離も大きく為され得る。その結果、針部１１の心筋４８の病巣部内への進入時に生ずる反力の大部分が、そのような第一ガイドワイヤ１４と第二ガイドワイヤ１６とによって、より十分に且つ確実に受け止められ得ることとなる。
【００６９】
また、かかる薬液注入カテーテルでは、カテーテル本体１０の外部に設けられたバルーン４２を拡張させるための流体が流通せしめられる第四ルーメン１８ｄが、その中心軸：Ｐ４  を、針状管体１２が挿入配置される第三ルーメン１８ｃの中心軸：Ｐ３  と、カテーテル本体１０の中心軸：Ｐ０  と、突出孔２２の中心：Ｏ３  を含む前記平面：β上に位置させるようにして、配設されている。これによっても、薬液注入カテーテル全体のバランスが良好なものとなり、以て、心筋４８の病巣部に対して薬液を注入せしめるための手技が、より安定的に行なわれ得ることとなる。
【００７０】
さらに、本実施形態の薬液注入カテーテルにおいては、針状管体１２が挿入配置される第三ルーメン１８ｃの前方側端部の内周面が、軸方向前方に向かって、突出孔２２の開口方向に湾曲する凸状湾曲面からなる案内面４０とされていると共に、針状管体１２の針部１１も、かかる案内面４０に対応した湾曲形状を有して構成されている。そして、そのために、カテーテル本体１０内での針状管体１２の前進移動に伴って、針部１１が、突出孔２２から、心筋４８の表面に対して直角な方向に向かって、スムーズに且つ確実に突出せしめられ得るようになっている。このような構造によっても、心筋４８の病巣部に対して薬液を注入せしめるための手技が、より安定的に且つ確実に行なわれ得ることとなる。
【００７１】
しかし、カテーテル本体１０内に設けられる第一乃至第四ルーメン１８ａ〜１８ｄの配置位置は、前述せる如き例示のものに、何等限定されるものではない。
【００７２】
例えば、図７に示されるように、第三ルーメン１８ｃを、その中心軸：Ｐ３  が、カテーテル本体１０の径方向において、カテーテル本体１０の中心軸：Ｐ０  よりも、突出孔２２の形成部位側に偏倚して位置せしめられるように、配置すると共に、第一及び第二ルーメン１８ａ，１８ｂを、それぞれの中心軸：Ｐ１  ，Ｐ２  を含む平面：αが、カテーテル本体１０の径方向において、カテーテル本体１０の中心軸：Ｐ０  よりも、突出孔２２の形成部位側とは反対側に偏倚して位置せしめられるように配置することも可能である。
【００７３】
また、図８に示される如く、第三ルーメン１８ｃを、その中心軸：Ｐ３  が、カテーテル本体１０の径方向において、カテーテル本体１０の中心軸：Ｐ０  よりも、突出孔２２の形成部位側とは反対側に偏倚して位置せしめられるように、配置すると共に、第一及び第二ルーメン１８ａ，１８ｂを、それぞれの中心軸：Ｐ１  ，Ｐ２  を含む平面：αが、カテーテル本体１０の径方向において、カテーテル本体１０の中心軸：Ｐ０  よりも、突出孔２２の形成部位側に偏倚して位置せしめられるように配置しても良いのである。
【００７４】
このような図７及び図８に示される如き構造を有する二つ実施形態においては、針状管体１２の針部１１が、第一及び第二ガイドワイヤ１４，１６のそれぞれの延出方向に対して直角な方向に向かって突出せしめられ得るようになっている。従って、これら第二及び第三の二つの実施形態にあっても、前記第一の実施形態と同様な作用・効果が、有効に享受され得ることとなる。
【００７５】
また、図９に示されるように、第三ルーメン１８ｃを、カテーテル本体１０に対して同軸的に配置する一方、第一ルーメン１８ａを、その中心軸：Ｐ１  が、第三ルーメン１８ｃの中心軸：Ｐ３  と、カテーテル本体１０の中心軸：Ｐ０  と、突出孔２２の中心：Ｏ３  とを含む平面：β上において、第三ルーメン１８ｃの中心軸：Ｐ３  を間に挟んで、突出孔２２の中心：Ｏ３  の配設側とは反対側に位置せしめられるように配置する。そして、第二ルーメン１８ｂを、その中心軸：Ｐ２  が、第三ルーメン１８ｃの中心軸：Ｐ３  と、カテーテル本体１０の中心軸：Ｐ０  とを含み、且つ上記平面：βに対して直交する平面：α上に位置せしめられように、配置しても良いのである。
【００７６】
さらに、図１０に示される如く、第一、第二、及び第三ルーメン１８ａ〜１８ｃを、全て、それぞれの中心軸：Ｐ１  〜Ｐ３  が、カテーテル本体１０の中心軸：Ｐ０  と、突出孔２２の中心：Ｏ３  とを含む前記平面：β上に位置せしめられるように配置することも可能である。また、第四ルーメン１８ｄを、前記第一乃至第三の実施形態における配置位置とは異なる位置に配置しても良い。
【００７７】
これら図９及び図１０に示される如き構造を有する二つの実施形態にあっては、第一ルーメン１８ａと第二ルーメン１８ｂとが、捻れ若しくは平行な位置関係となって、それぞれの中心軸：Ｐ１  ，Ｐ２  の配置位置において、カテーテル本体１０の径方向において、偏差：ｄを有している。しかしながら、このような偏差：ｄは、カテーテル本体１０の径よりも小さな、極めて微小な寸法である。そのため、それら第一及び第二ルーメン１８ａ，１８ｂ内にそれぞれ挿入配置される第一及び第二ガイドワイヤ１４，１６の各延出方向ベクトルが直交している点で変わりないため、これらの方向ベクトルを含む面に、実質的に針状管体１２が突出することとなる。従って、そのような微小な偏差：ｄによって影響されるようなことは、殆どないのである。
【００７８】
それ故、かくの如き第四及び第五の二つの実施形態においても、針状管体１２の針部１１が、第一及び第二ガイドワイヤ１４，１６のそれぞれの延出方向に対して、実質的に直角な方向に向かって突出せしめられ得るようになっている。従って、これら第四及び第五の実施形態の何れにあっても、前記第一の実施形態と同様な作用・効果が、有効に享受され得ることとなる。
【００７９】
以上、本発明の具体的な構成について詳述してきたが、これはあくまでも例示に過ぎないのであって、本発明は、上記の記載によって、何等の制約をも受けるものではない。
【００８０】
例えば、カテーテル本体１０の外部に設けられたバルーン４２と、そのようなバルーン４２を拡張させるための流体が流通せしめられる、カテーテル本体１０内に設けられた第四ルーメン１８ｄは、本発明において、何等必須ものではない。従って、それらバルーン４２と第四ルーメン１８ｄとを省略しても良い。なお、バルーン４２と第四ルーメン１８ｄとを設ける場合には、それらの配設位置や個数が、前記実施形態に示されるものに、特に限定されるものでないことは、勿論である。
【００８１】
また、第三ルーメン１８ｃの前方側端部の内周面に、凸状湾曲面からなる案内面４０を形成する一方、針部１１を、真っ直ぐな形状と為しても、何等差し支えない。
【００８２】
さらに、前記実施形態においては、針部１１の開口端面４１が、部１１の突出孔２２からの突出時における針状管体１２の移動方向に向かって、針部１１の突出方向に傾斜する傾斜面（図１において下向きの傾斜面）とされていた。しかし、その反対に、かかる開口端面４１を、針部１１の突出孔２２からの突出時における針状管体１２の移動方向とは反対方向に向かって、針部１１の突出方向に傾斜する傾斜面（図１において上向きの傾斜面）と為しても良い。なお、前記実施形態の構成（開口端面４１を、図１において下向きの傾斜面とする構成）によれば、針状管体１２の移動に伴って、針部１１が第三ルーメン１８ｃ内を移動せしめられる際に、針部１１の接触によって、第三ルーメン１８ｃの内周面が損傷したり破損するようなことが、効果的に防止され得ることとなる。
【００８３】
前記実施形態では、本発明を、心筋の病巣部に対して薬液を注入する薬液注入カテーテルに適用したものの具体例を示した。しかしながら、本発明は、心筋以外の体内組織に薬液を注入する薬液注入カテーテルや、心筋の病巣部や心筋以外の体内組織に薬液を注入する、カテーテルの範疇に属さない薬液注入装置出装置の何れに対しても、有利に適用されるものであることは、勿論である。
【００８４】
その他、一々列挙はしないが、本発明は、当業者の知識に基づいて種々なる変更、修正、改良等を加えた態様において実施され得る。また、そのような実施態様が、本発明の趣旨を逸脱しない限り、何れも、本発明の範囲内に含まれるものであることは、言うまでもないところである。
【００８５】
【発明の効果】
以上の説明からも明らかなように、本発明に従う薬液注入装置にあっては、穿刺されるべき体内組織の病巣部が比較的に硬いものであっても、針状管体の針部が、かかる病巣部における所定位置において、所望の深さ部位にまで確実に穿刺され得る。そして、その結果として、所定の薬液を病巣部に注入する治療や処置の効果を、より十分に高めることが可能となる。
【図面の簡単な説明】
【図１】本発明に従う構造を有する薬液注入カテーテルの一例を概略的に示す正面説明図である。
【図２】図１におけるＩＩ−ＩＩ断面拡大説明図である。
【図３】図１に示された薬液注入カテーテルのカテーテル本体内に挿入された針状管体と第一及び第二ガイドワイヤのそれぞれの中心軸の位置を示しつつ、薬液注入カテーテルの構造を模式的に表す説明図である。
【図４】図１に示された薬液注カテーテルを部分的に拡大して示す、一部切欠図を含む説明図である。
【図５】図１に示された薬液注入カテーテルを用いて、心筋の病巣部に所定の薬液を注入する操作状態の一例を示す説明図であって、第一ガイドワイヤと第二ガイドワイヤを、心筋の表面上の主血管内と分岐血管内とに挿入せしめた状態を示している。
【図６】図１に示された薬液注入装置を用いて、心筋の病巣部に所定の薬液を注入する操作状態の別の例を示す説明図であって、針部を心筋に穿刺せしめた状態を示している。
【図７】本発明に従う構造を有する薬液注入カテーテルの別の例を示す図２に対応する図である。
【図８】本発明に従う構造を有する薬液注入カテーテルの更に別の例を示す図２に対応する図である。
【図９】本発明に従う構造を有する薬液注入カテーテルの他の例を示す図２に対応する図である。
【図１０】本発明に従う構造を有する薬液注入カテーテルの更に他の例を示す図２に対応する図である。
【符号の説明】
１０  カテーテル本体                  １１  針部
１２  針状管体                        １４  第一ガイドワイヤ
１６  第二ガイドワイヤ                １８  ルーメン
２０  先端開口部                      ２２  突出孔
２４  側孔                            ４０  案内面
４２  バルーン                        ４８  心筋
５０  主血管                          ５２  分岐血管
【図１】
2004267333.tif 000003
【図２】
2004267333.tif 000004
【図３】
2004267333.tif 000005
【図４】
2004267333.tif 000006
【図５】
2004267333.tif 000007
【図６】
2004267333.tif 000008
【図７】
2004267333.tif 000009
【図８】
2004267333.tif 000010
【図９】
2004267333.tif 000011
【図１０】
2004267333.tif 000012